(57)【要約】【課題】前扉に配設した大面積の装飾表示部によって装飾表示効果を向上させることができ、装飾表示部の剛性を向上できる遊技機を提供する。【解決手段】前枠３（前扉）と、この前枠３の前面側に当該前枠３に対して開閉可能に設けられたガラス扉５とを備えた遊技機において、このガラス扉５の前面側に突出形成されて装飾表示を行う装飾パネル部２４（装飾表示部）を備え、この装飾パネル部２４は、当該装飾パネル部２４のその突出方向を奥行き幅とする突出外面（右透明カバー３７）を通して視認可能に配置された装飾パネル２３と、装飾パネル部２４の突出方向に配設された補強用板金１０２と、を備える。【選択図】図３
2015192899.tif 000002
【特許請求の範囲】
【請求項１】
本体枠の前面側に左右方向の一端側のヒンジ手段を介して開閉可能に設けられた前面扉を備えた遊技機において、
前記前面扉は、遊技領域に対応する開口が形成された枠ベースと、該枠ベースの裏側に配置された扉補強部材と、前記ヒンジ手段と反対の他端側で前方へと突出し且つ前記前面扉の略外側面に沿って縦長状に配置された突出装飾部とを備え、
該突出装飾部は、前記枠ベースに固定され且つ該枠ベースから前側に突出する強度部材と、左右両側面に配置された装飾表示部と、該各装飾表示部に内部側から光を照射して該各装飾表示部を発光させる発光手段とを含む
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の弾球遊技機は、遊技店内の遊技島に固定される正面視で矩形状の外枠と、その外枠の前面側に開閉可能に取り付けられ且つ遊技盤を保持する内枠と、その内枠の前面側に開閉可能に取り付けられた前扉とを備えている。この前扉は、遊技盤の遊技領域に対応する大きさの開口部と、この開口部を閉塞する透明板（例えばガラス板）とを備えており、この前扉の透明板を介して、内枠に保持された遊技盤の遊技領域が視認可能となっている。
また従来の弾球遊技機には、前扉の開口部の外周前面所定箇所に装飾ランプを備えるとともに、その装飾ランプの一部箇所に、遊技機の機種に対応する装飾表示（機種名や機種に関連するキャラクタ等の表示）が描かれた装飾表示部を備えたものがある（例えば特許文献１）。
【先行技術文献】
【特許文献】
【０００３】
【特許文献１】特開２００３−１９０４４２号公報
【発明の概要】
【発明が解決しようとする課題】
【０００４】
しかしながら、遊技の興趣性向上のために遊技盤の遊技領域が年々大型化し、それに伴って前扉の開口部も大型化しており、前扉の前面における装飾ランプの配設スペースが大幅に幅狭となり、装飾ランプにおける装飾表示部の配置スペースも減少している。そのため、前扉の前面には小型の装飾表示部を配置できるに止まり、小面積の装飾表示部では装飾表示効果が低くなるという問題がある。
【０００５】
本発明は、上記事情に鑑みてなされたものであり、前扉の装飾表示部の面積を広くできる遊技機を提供することを目的とする。
【課題を解決するための手段】
【０００６】
本発明は、本体枠の前面側に左右方向の一端側のヒンジ手段を介して開閉可能に設けられた前面扉を備えた遊技機において、前記前面扉は、遊技領域に対応する開口が形成された枠ベースと、該枠ベースの裏側に配置された扉補強部材と、前記ヒンジ手段と反対の他端側で前方へと突出し且つ前記前面扉の略外側面に沿って縦長状に配置された突出装飾部とを備え、該突出装飾部は、前記枠ベースに固定され且つ該枠ベースから前側に突出する強度部材と、左右両側面に配置された装飾表示部と、該各装飾表示部に内部側から光を照射して該各装飾表示部を発光させる発光手段とを含むものである。
【０００７】
また、前記前面扉５は、当該前面扉５面に沿って配設された扉補強部材１５０を備え、前記突出装飾部２４の前記補強部材１０２の前記基端部１０３を前記前面扉５の扉補強部材１５０に固定してもよい。また、前記突出装飾部２４の前記補強部材１０２と前記前面扉５の前記扉補強部材１５０とは導電性部材であり、前記固定によって前記補強部材１０２と前記扉補強部材１５０とが電気的に接続され、前記扉補強部材１５０は前記本体枠３を介して接地されているとしてもよい。
【０００８】
また、前記前面扉５は、その前面側上端箇所に前方に向けて突出形成された上端側突出部２０を備え、前記突出装飾部２４は、前記前面扉５の前面側左端又は右端箇所に、当該端箇所に沿って設けられ、前記上端側突出部２０の端部と前記突出装飾部２４の端部とを連結するようにしてもよい。
【０００９】
また、前記補強部材１０２は、前記上端側突出部２０の端部との連結箇所から遠い側に前記延出部１０７を備えるようにしてもよい。なお、前記突出装飾部２４は、前記前面扉５が開状態の場合に前記装飾表示パネル２３が着脱可能となり、前記前面扉５が閉状態の場合に前記装飾表示パネル２３が着脱不可能としてもよい。例えば、第１構成例としては、前記前面扉５は、前記装飾表示パネル２３を挿抜するための出入り口３１を備え、前記前面扉５の閉状態では、前記装飾表示パネル２３が挿抜不可なように前記出入り口３１を塞ぐ規制部を備える構成が挙げられる。また、第２構成例としては、前記前面扉５は、前記装飾表示パネル２３を挿抜するための出入り口３１と、当該出入り口３１を閉塞する閉塞部３２とを備え、前記前面扉５の閉状態では、前記出入り口３１を閉塞した状態の前記閉塞部３２が開放不可に規制する規制部を備える構成が挙げられる。
【００１０】
なお、装飾表示パネル２３は、電子ペーパー、液晶表示装置、有機ＥＬ表示装置などの薄型表示装置としてもよい。
【００１１】
また、前記突出装飾部２４は、その外形を構成する外形本体部３４、３５を備え、前記補強部材１０２は、耐熱性部材であり、前記外形本体部３４、３５の内部に配設されているとしてもよい。なお、補強部材１０２は金属製部材、繊維強化プラスチック部材等が挙げられる。
【発明の効果】
【００１２】
本発明によれば、前扉の装飾表示部の面積を広くできる利点がある。
【図面の簡単な説明】
【００１３】
【図１】本発明の一実施形態に係るパチンコ機の全体正面図である。
【図２】同パチンコ機の斜視図である。
【図３】同パチンコ機の右側面図である。
【図４】同パチンコ機の左側面図である。
【図５】同パチンコ機の平面図である。
【図６】ガラス扉を前方左上から見た斜視図である。
【図７】同ガラス扉の背面図である。
【図８】同ガラス扉のＡ−Ａ線断面図である。
【図９】同ガラス扉の分解斜視図である。
【図１０】右辺ユニットを後方左上から見た斜視図である。
【図１１】同右辺ユニットから右カバー枠、右透明カバー及び装飾パネルを取り除いた状態を示す図である。
【図１２】図１１に示す右辺ユニットから拡散板を取り除いた状態を示す図である。
【図１３】図１２に示す右辺ユニットから上側，下側ＬＥＤ基板及びメッキ飾り板を取り除いた状態を示す斜視図である。
【図１４】図１３に示す右辺ユニットから補強用板金を取り除いた状態を示す図である。
【図１５】ガラス扉とその補強用板金と前枠とその右フレーム板金との固定関係を示す図である。
【図１６】右辺ユニットからの装飾パネルの取外しを説明するための図である。
【図１７】ガラス扉が前枠に対して閉状態であるときの右辺ユニットの上部の断面図である。
【発明を実施するための形態】
【００１４】
以下、本発明の実施形態を図面に基づいて詳述する。図１〜図１７は本発明をパチンコ機に採用した一実施形態を例示している。図１、図２において、遊技機１（パチンコ機）は、遊技店内に配列された島設備に固定（設置）される正面視矩形状の外枠２と、この外枠２の前面側に着脱、開閉自在に取り付けられた前枠３（本体枠）とを備えている。前枠３は、左端側の上下一対のヒンジ手段４Ａを介して外枠２に着脱及び開閉自在に装着されている。
【００１５】
遊技島は、例えば、複数の遊技機１及び複数の台間機（遊技媒体貸出装置）が所定方向（前方向）に向けて交互に並べることにより構成されている。各遊技機１の例えば左隣にある台間機（図示省略）は、遊技者によって入金された紙幣、または一般カードや会員カード等のカード（ＩＣカード、プリペイドカード等）に関連付けられた有価価値に基づいて、対応する遊技機１で遊技するための遊技球（遊技媒体）を貸し出す処理を行う機能を備えている。
【００１６】
外枠２は、図１、図２に示すように、例えば木製の横枠板及び縦枠板を枠組みして正面視で矩形状に形成されるものが挙げられる。なお、外枠２の四隅を金属製板金で補強した構成や、木製に替えて金属製（例えばアルミ製）の板部材を採用してもよい。
【００１７】
前枠３は、その前面側に、ヒンジ手段４Ａと同一側のヒンジ手段４Ｂにより開閉自在なガラス扉５  （前面扉）と、ヒンジ手段４Ａと同一側のヒンジ手段４Ｃにより開閉自在な開閉扉６とを、上下に備えている。前枠３の前側でガラス扉５の裏側に対応する箇所には、遊技盤７が前側から着脱自在に装着され、また開閉扉６の裏側に対応する箇所には、発射手段（図示省略）が装着されている。なお、前枠３は前述とは逆に、その後側に遊技盤７が装着されるものであってもよい。つまり、前枠３は、その中央箇所に形成された開口に遊技盤７の遊技領域が位置するように当該前枠３の後側箇所に遊技盤７が装着されるものでもよい。
【００１８】
開閉扉６は、発射用の遊技球を貯留する球供給皿９と、発射手段を作動させるための発射ハンドル１０と、球供給皿９が満杯状態のときの余剰球を貯留する下貯留皿８とを備えている。発射手段は、発射ハンドル１０を操作したときに作動して、球供給皿９から供給される遊技球を１個ずつ遊技盤７側へと発射させるようになっている。また、開閉扉６は、その球供給皿９を形成する皿枠部６ａの例えば手前側上面の左側、中央及び右側の箇所に、遊技機１の演出用に用いられる演出ボタン５ｆ、５ｇ、５ｈをそれぞれ備えている。左側の演出ボタン５ｆは、例えばトラックボール（ボール型コントローラ）であり、中央の演出ボタン５ｇは、例えば押下ボタンであり、右側の演出ボタン５ｈは方向キーである。なお本実施形態では、３個の演出ボタン５ｆ〜５ｈを設けているが、３個以外の複数としてもよいし、単数としてもよい。
【００１９】
例えば、前枠３は、樹脂材料を用いて形成されており、その中央部には遊技盤７の背面の大部分が位置する図示しない窓部（図示省略）が形成されている。この窓部内は、主制御基板やサブ制御基板や電源基板など種々の基板を配置するためのスペースである。
【００２０】
前枠３は、図示しない球受け部、球整流部、賞球払出装置及び球通路を備えている。球受け部は、上面が開放された箱状に形成されている。球受け部は、この遊技機１が設置される遊技機島内の図示しない球循環機構から供給された遊技球を貯留しておく。球受け部の下部に形成された球出口は球整流部と連通している。球整流部の下端は賞球払出装置に接続されており、これにより、球整流部に流入した遊技球は、一列に整列して賞球払出装置に供給されるようになっている。賞球払出装置から払い出される遊技球は、球通路及び前枠３の下部に形成された供給口（図示省略）を通って、賞球または貸球として球供給皿９（図１参照）に払い出される。
【００２１】
ガラス扉５は、図１、図２に示すように、遊技盤７に対向する位置に、当該遊技盤７の遊技領域に対応する大きさの開口５ａを備えている。近年、遊技の興趣性を向上させるために遊技盤７の遊技領域が益々大型化しており、それに伴ってガラス扉５の開口５ａも大型化していることから、図６、図７に示すように当該開口５ａがガラス扉５に対して高い比率を占めている。ガラス扉５の開口５ａにガラス板などの透明板５ｂを装着する（例えば嵌める）ことで当該開口５ａが塞がれて（覆われて）おり、ガラス扉５を前枠３に対して閉じた状態（閉状態）で、その透明板５ｂを介して、当該透明板５ｂの奥側の遊技盤７を視認可能となっている。
【００２２】
また、図１、図６に示すように、ガラス扉５の前面上部には、左右一対のスピーカ５ｃが配設されている。また、ガラス扉５の前面下部には、複数（本実施形態では例えば３個。単一としてもよい。）の装飾ランプ５ｄが配設されている。また、ガラス扉５の前面における開口５ａ、スピーカ５ｃ及び装飾ランプ５ｄが配設されている領域を除く領域にも、種々の装飾ランプ５ｅが分散（あるいは連続）して配設されている。
【００２３】
さらに、ガラス扉５は、その右下部に、当該ガラス扉５を前枠３に施錠（ロック）するための鍵機構１２を備えている。この鍵機構１２は、ガラス扉５を前枠３に対して閉じることにより施錠されるようになっている。また、鍵機構１２の鍵穴１２Ａに遊技店の店員などが鍵を挿入して所定方向（例えば反時計回り）に回転させることにより、鍵機構１２が解錠されて、ガラス扉５を前枠３に対して開くことが可能になっている。
【００２４】
ガラス扉５は、図２〜図６に示すように、その上辺部に配設された上辺ユニット２０（上端側突出部）と、その左側辺部及び下辺部に配設された、透明板５ｂよりも一段前方寄りに位置する略平坦な前面部２１と、その右側辺部に、当該ガラス扉５の右側辺に沿って配設された右辺ユニット２２と、を備えている。図１、図２及び図６に示すように、ガラス扉５の前面部２１には、前述のスピーカ５ｃ、装飾ランプ５ｄ、５ｅが配設されている。具体的には、ガラス扉５は、図６、図７に示すように、中央が遊技領域に対応して開口したガラス枠ベース１３を備えており、このガラス枠ベース１３の前面側の上辺部箇所及び右辺部箇所に上辺ユニット２０と右辺ユニット２２等がそれぞれ取り付けられている。
【００２５】
右辺ユニット２２は、その右側面箇所に、図２、図３及び図８に示すように、装飾パネル２３を有する装飾パネル部２４（突出装飾部）を備えている。この実施形態では、右辺ユニット２２における下部分２５を除く部分が装飾パネル部２４（図２及び図３参照）として機能する。なお、図３には後述するパネル収容部３０に装飾パネル２３が収容された状態を示している。
【００２６】
図３及び図４に示すように、右辺ユニット２２の下部分２５の前端面は、前面部２１の前面よりもやや前方側に位置する略平坦面としている。また、右辺ユニット２２における下部分２５を除く部分には、前方側に向けて膨出する略扁平状をなす膨出部２６が設けられている。膨出部２６は、右辺ユニット２２の上半分に相当する上部分２７と、右辺ユニット２２の上下方向の中央部に相当する中央部分２８とを備えている。上部分２７の前端面は、下部分２５の前端面よりも一定量（例えば１０ｃｍ程度）前方側に向けて膨出し、かつ下部分２５の前端面と略平行をなしている。中央部分２８の前端面は、上方に向かうに従って前方側に向かうように傾斜する傾斜面である。中央部分２８の前端面の上端部は上部分２７の前端面に繋がっており、また、中央部分２８の前端面の下端部は下部分２５の前端面に繋がっている。
【００２７】
上辺ユニット２０は、図５、図６に示すように、ガラス扉５における上辺部のほぼ全域から、前方側に向けて膨出する略扁平状のものである。上辺ユニット２０は、図２〜図５に示すように、水平平坦面からなる上面を有しており、この上辺ユニット２０の上面は、図２及び図４に示すように、右辺ユニット２２の上端面（膨出部２６の上端面）と同一高さとなっている。上辺ユニット２０の前面は、図４に示すように緩やかな凸湾曲面に形成されている。上辺ユニット２０の左端部の正面側は、図２、図５に示すように、後方に向けて大きく切り欠かれており、略円弧状の凹湾曲面からなる凹部２９が形成されている。例えば、この遊技機１と同様の遊技機が複数台、遊技島に一列に並べられたときに、ある遊技機１のガラス扉５を開状態にしたとき（その開度を例えば約１００°としたとき）、上辺ユニット２０と、その遊技機１の左隣の遊技機の右辺ユニット２２（または、各遊技機１の左隣にある台間機（図示省略））とが干渉しないように、この凹部２９が形成されている。上辺ユニット２０の前面の右端部は、右辺ユニット２２の上部分２７の前端面と略同一の突出量となっている。
【００２８】
また、図３に示すように、ガラス扉５のうち、前面部２１や右辺ユニット２２の下部分２５は、開閉扉６の発射ハンドル１０の基端側面から殆ど突出しない。これに対して、ガラス扉５のうち、右辺ユニット２２の膨出部２６及び上辺ユニット２０は、発射ハンドル１０の基端側面から大きく前方に突出しており、球供給皿９の先端側近くまで突出していることがわかる。
【００２９】
図２に示すように、右辺ユニット２２の右側面は、前枠３の前側を構成する枠形状の前端枠７０の右側部を構成する右辺部７０Ｃと略同一平面となっている。また、右辺ユニット２２の上端面は、前端枠７０の上側部を構成する上辺部７０Ａと略同一平面となっている。右辺ユニット２２の下端部は、前記の開閉扉６の右端部上方に位置している（図１、図２参照）。
【００３０】
また、装飾パネル部２４は、図３及び図１０に示すように、所定の装飾表示が施された装飾パネル２３と、装飾パネル２３を外部から視認可能に収容保持するためのパネル収容部３０とを備えている。装飾パネル２３は、パネル収容部３０に対し着脱可能に設けられている。具体的には、装飾パネル２３は、右辺ユニット２２の膨出部２６内における、後述する拡散板５３と右透明カバー３７との間に形成される狭空間からなるパネル収容領域に収容される。
【００３１】
右辺ユニット２２は、図８及び図９に示すように、その右側から順に、右カバー枠３４、右透明カバー３７、装飾パネル２３、拡散板５３、上側及び下側ＬＥＤ基板５１，５２、メッキ飾り板５４、補強用板金１０２（補強部材）、飾り用樹脂板５０及び左カバー枠３５を備えている。これら右カバー枠３４、右透明カバー３７、装飾パネル２３、拡散板５３、上側及び下側ＬＥＤ基板５１，５２の拡散板５３側の面に実装されたＬＥＤ５５によって右辺ユニット２２の右側装飾表示面が構成されている。また、左カバー枠３５、飾り用樹脂板５０、メッキ飾り板５４、上側及び下側ＬＥＤ基板５１，５２のメッキ飾り板５４側の面に実装されたＬＥＤ５６によって右辺ユニット２２の左側装飾表示面が構成されている。
【００３２】
また、左カバー枠３５の下部左側箇所には、図６に示すように、前枠３の下辺右部を構成する飾り部１０１が一体化されている。飾り部１０１は横長のＬ字状（正面視でＬ字を左右反転させた形状）に形成されており、正面視で、遊技盤７と開閉扉６（図示省略）との間に上下に挟まれる位置に配置される。なお、飾り部１０１の前面は、下部分２５の前端面と略同一平面を有している。
【００３３】
また、右辺ユニット２２の前端面、つまり、右カバー枠３４と左カバー枠３５とによって区画される（挟まれる）空間の前端面は、図６、図８に示すように、正面レンズ３６によって閉塞されている。また、この空間における後端面の上部分（膨出部２６に対応する部分）は、図９、図１０に示すように、右カバー枠３４の後壁部と補強用板金１０２の基端部１０３によって閉塞されている。この空間における後端面の下部分（下部分２５に対応する部分）及び下端面は、合成樹脂製の配線収容部１０４によって閉塞されている。また、この空間における上端面には、図１６に示すように、上部開口（出入口）３１が形成されており、この上部開口（出入口）３１が蓋部材３２によって開閉される（着脱阻止構造）。換言すると、蓋部材３２、右カバー枠３４、左カバー枠３５、正面レンズ３６、右透明カバー３７及び補強用板金１０２によって、右辺ユニット２２の膨出部２６の外郭（パネル収容部３０の外郭）が形成されている。
【００３４】
上部開口３１は、図１６（ｃ）に示すように、右辺ユニット２２内に形成されているパネル収容領域と連通している。蓋部材３２は、図１６、図１７に示すように、上部開口３１を閉塞できる大きさ及び形状を有する板状部材であり、図１０、図１３、図１７に示すように、その先端部に先端片６０が形成され、その基端部の両側部箇所に、上部開口３１の前端辺に沿う回動軸３２Ａ（図１３、図１７参照）がそれぞれ突出形成されており、ガラス扉５が開状態の場合において回動軸３２Ａを中心として回動できるように、右辺ユニット２２の上部に取り付けられている。図１７に示すように、拡散板５３の配設された付勢バネ６２の一端部６２ａが蓋部材３２の基端部側の当接片６１に当接し、蓋部材３２は付勢バネ６２によって閉状態に付勢されており、当該蓋部材３２が水平姿勢となっている。
【００３５】
具体的には、蓋部材３２は、ガラス扉５が開状態の場合において、上部開口３１を塞ぐ水平姿勢（図１６（ｂ）参照）と、鉛直姿勢（図１６（ｃ）参照）との間で回動可能となっている。蓋部材３２は、図１６（ａ）、図１７に示すように、当該蓋部材３２が付勢バネ６２に付勢されて上部開口３１を塞ぐ水平姿勢となっており、ガラス扉５が閉状態の場合には、その先端片６０が前枠３の前端枠７０における上辺部７０Ａの下方位置に挿入された状態となっていることから、先端片６０を上方に回動不可となっている。そこで、パネル収容部３０に対する装飾パネル２３の取付けまたは取外しは、図１６（ｂ）に示すように、ガラス扉５を開状態とし、作業者が蓋部材３２の先端片６０を持って上方に起立させて、蓋部材３２を鉛直姿勢にすることにより、上部開口３１を開放させた状態で行われる。
【００３６】
装飾パネル２３は、ポリ塩化ビニル（ＰＶＣ）などの透明樹脂材料を用いて形成された可撓性シートである。また、装飾パネル２３は必ずしも可撓性を有する必要はなく、この場合、ＰＥＴ（ポリエチレンテレフタレート）やポリカーボネート（ＰＣ）などを採用することもできる。装飾パネル２３は、図９に示すように、側面視において下部前側の一角を切り取ったような略矩形状（略台形状）で薄板形状としている。装飾パネル２３の表面（例えば右面）には、遊技機１の機種に関連する表示（その遊技機１の機種名や、機種名にちなんだロゴ、機種に関連するオリジナルデザイン等を含む）が色付きで描かれている。後述するバックライト（上側及び下側ＬＥＤ基板５１，５２のＬＥＤ５５）からの光が拡散板５３を介して装飾パネル２３の左面に照射されることで、装飾パネル２３の表面（右面）が発光し、装飾パネル２３表面の意匠が明るくなる。
【００３７】
右透明カバー３７は、図９に示すように、側面視において、装飾パネル２３と同様の形状としている。この右透明カバー３７も、前述した装飾パネル２３と同じ手順（図１６参照）で着脱可能である。また、右透明カバー３７は、その縦長さが装飾パネル２３よりも僅かに（例えば１、２ミリ程度）短くなっており、装飾パネル２３がパネル収容部３０に収容された状態（図８参照）において図９に示すように当該装飾パネル２３の上端２３ａが右透明カバー３７の上端３７ａよりもその分（例えば１、２ミリ程度）上方に突出した状態となり、且つ、拡散板５３の上部に形成されて作業者の指が挿入可能な凹形状の上側凹部５３ｆにより、装飾パネル２３のみを摘んで引き出し易くなっている。なお、装飾パネル２３の上端２３ａ及び右透明カバー３７の上端３７ａを同一高さとし、拡散板５３の上側凹部５３ｆのみで装飾パネル２３を引き出す構成としたり、装飾パネル２３の上端２３ａを右透明カバー３７の上端３７ａよりも高くし、拡散板５３の上側凹部５３ｆを備えずに、装飾パネル２３を引き出す構成としたりしてもよい。
【００３８】
以下、図３、図４、図１０、図１３及び図１１〜図１４を参照して、右辺ユニット２２の膨出部２６の外郭構成及び内部構成について具体的に説明する。
【００３９】
図３、図８に示すように、パネル収容部３０（すなわち右辺ユニット２２の膨出部２６）はガラス扉５の右側面に設けられている。また換言すると、パネル収容部３０は、膨出部２６の右側面に形成されていると言える。このように、ガラス扉５の正面右辺側箇所に前方に大きく突出したパネル収容部３０（膨出部２６）を設けているので、パネル収容部３０は大面積化されている。
【００４０】
右カバー枠３４は、例えばＡＢＳ樹脂やポリカーボネート等の合成樹脂製の枠体としている。右カバー枠３４は、図３及び図１０に示すように、装飾パネル２３の外周部と同等の略台形状をなす本体枠３９と、本体枠３９の前杆の上下方向途中部と本体枠３９の後杆の上下方向途中部とを連結し、前方に向かうに従って下方に向かう連結枠４０と、本体枠３９の下方に設けられた直線状の下部直線部４１とを備えている。また、図９に示すように、本体枠３９の前杆の左側面箇所には、上下方向に３個の枠固定用ボス部３９ａが配設され、この枠固定用ボス部３９ａを挿入孔５８ａに挿入させて飾りカバー５８が取り付けられ、この枠固定用ボス部３９ａの先端にはネジ穴が形成されている。また、右カバー枠３４は、その上端手前側箇所に、上辺ユニット２０の２個の長状ボス部２０ａの先端が位置する貫通孔３４ｃが形成されており、この貫通孔３４ｃに挿入したネジを長状ボス部２０ａの先端のネジ穴に螺入することで、右カバー枠３４が上辺ユニット２０に固定される。
【００４１】
左カバー枠３５は、例えばＡＢＳ樹脂やポリカーボネート等の合成樹脂製の枠体としている。左カバー枠３５は、図４、図６に示すように、装飾パネル２３の外周部と同等の略台形状をなす本体枠４２と、本体枠４２の前杆の上下方向途中部と本体枠４２の後杆の上下方向途中部とを連結し、前方に向かうに従って下方に向かう第１及び第２連結枠４３，４４と、本体枠４２の前杆の上下方向途中部と、本体枠４２の後杆の上下方向途中部とを連結し、後方に向かうに従って下方に向かう第３連結枠４５と、本体枠４２の下方に設けられた直線状の下部直線部４６とを備えている。第１及び第３連結枠４３，４５の前端同士が繋がっており、第２及び第３連結枠４４，４５の後端同士が繋がっている。
【００４２】
また、図９に示すように、左カバー枠３５は、その上部手前側箇所に、上辺ユニット２０の右端手前側箇所に突出形成された複数（本実施形態では２本）の長状ボス部２０ａが挿入される各貫通孔３５ａが上下に２個形成され、その上端中央箇所に、上辺ユニット２０の右端の上側中央箇所に突出形成された例えば１本の短状ボス部２０ｂが挿入される上部ボス部３５ｂが１個形成され、その上部ボス部３５ｂの下方位置に、上辺ユニット２０の右端奥行き中間箇所及び奥側箇所に突出形成された複数（本実施形態では３本）の短状ボス部２０ｂが挿入される各挿入孔３５ｃが３個形成されている。なお、左カバー枠３５の上部ボス部３５ｂは、左カバー枠３５を上辺ユニット２０の右端に固定するためのものである。
【００４３】
また、左カバー枠３５の右面には、図９、図１３に示すように、右方向に向けて突出する円筒状のボス部１０５が、略上下方向に並んで複数（本実施形態では５個）形成されている。各ボス部１０５の先端側には、拡散板５３の左側（上側及び下側ＬＥＤ基板５１，５２に対向する側）に突出形成された挿入ボス部５３ａ（図９参照）が挿入される挿入孔１０６が形成されている。なお、このボス部１０５は、拡散板５３の挿入ボス部５３ａが挿入されて当該拡散板５３を左カバー枠３５に固定するためのものである。
【００４４】
また、左カバー枠３５の右面における奥側及び手前側箇所には、図９、図１４に示すように、右方向に向けて突出する円筒状のピン部３５ｄが、手前側と奥側とに上下方向にそれぞれ２個ずつ並んで合計４個形成されている。また、図９に示すように、飾り部１０１の右面には、右方向に向けて突出する円筒状のピン部３５ｄが１個形成されている。なお、各ピン部３５ｄは、その先端側が補強用板金１０２のピン支持部１２９に挿入された状態となり、補強用板金１０２を支持するためのものである。
【００４５】
また、左カバー枠３５の右面手前側箇所には、図９に示すように、右方向に向けて突出する円筒状の左枠用ボス部３５ｅが上下方向に並んで複数（本実施形態では３個）形成されている。各左枠用ボス部３５ｅの先端側には、右カバー枠３４の左側（拡散板５３に対向する側）で手前箇所に突出形成された枠固定用ボス部３９ａが挿入される挿入孔３５ｆが形成されている。なお、この左枠用ボス部３５ｅは、右カバー枠３４の枠固定用ボス部３９ａが挿入されて当該右カバー枠３４を左カバー枠３５に固定するためのものである。
【００４６】
飾り用樹脂板５０は、図９及び図１４に示すように、左カバー枠３５の右隣に配置されている。飾り用樹脂板５０は、左カバー枠３５の外周部と整合する板状をなしており、その表面には、大小の同心円模様が複数形成されている。この飾り用樹脂板５０は、例えばＡＢＳ樹脂やポリカーボネート等の光透過性の合成樹脂材料を用いて形成されており、透光性としている。飾り用樹脂板５０には、左カバー枠３５の複数（上側４個）のボス部１０５がそれぞれ挿通される丸孔形状のボス挿通孔１２４が、当該ボス部１０５に対応する箇所に４個それぞれ形成されている。また、飾り用樹脂板５０には、その上部箇所で左カバー枠３５の挿入孔３５ｃに対応する箇所に、上辺ユニット２０の短状ボス部２０ｂとネジ止めするための上部ボス部５０ａが複数（本実施形態では３個）形成されている。
【００４７】
補強用板金１０２は、図９、図１３に示すように、飾り用樹脂板５０の右隣に配置されている。この補強用板金１０２は、例えば金属製材料で形成されており、導電性を有する。補強用板金１０２は、右辺ユニット２２の基端側に固定された基端部１０３と、この基端部１０３から右辺ユニット２２の突出方向に延出した延出部１０７とを備えている。延出部１０７は、その左側箇所が飾り用樹脂板５０に重なり、その右側箇所がメッキ飾り板５４に重なる。
【００４８】
延出部１０７は、図９に示すように、上辺ユニット２０の端部との連結箇所（右辺ユニット２２の上端箇所）から離れた箇所（図９では当該上端から下方に離れた箇所）に形成されている。延出部１０７は、図９、図１３に示すように、左右方向視において、左カバー枠３５の本体枠４２のうち第１連結枠４３以下の台形形状に略整合する形状としている。
【００４９】
具体的には、延出部１０７は、図９に示すように、トラス形状（例えばワーレントラス形状）としており、左カバー枠３５の本体枠４２のうち第１連結枠４３以下の台形形状と同等の台形形状をなす本体枠１４２と、この本体枠１４２の上方に設けられた直線状の上部直線部１４７と、本体枠１４２の下方に設けられた直線状の下部直線部１４８と、を備えている。この本体枠１４２は、図１２、図１３に示すように、その前側に位置する前杆１４２ａと、後側に位置し前杆１４２ａよりも上下方向に長い後杆１４２ｂ（図９参照）と、前杆１４２ａの上端部と後杆１４２ｂの上端部とを連結し、前方に向かうに従って下方に向かう第１連結枠１４３と、本体枠１４２の前杆１４２ａで第１連結枠１４３の前端の下側箇所と本体枠１４２の後杆１４２ｂの上下方向途中部とを連結し、後方に向かうに従って下方に向かう第２連結枠１４４と、本体枠１４２の後杆１４２ｂで第２連結枠１４４の後端の下側箇所と本体枠１４２の前杆１４２ａの下端側とを連結し、前方に向かうに従って下方に向かう第３連結枠１４５と、本体枠１４２の前杆１４２ａの下端箇所と本体枠１４２の後杆１４２ｂの下端箇所とを連結し、後方に向かうに従って下方に向かう第４連結枠１４６と、を備えている。第１及び第３連結枠１４３，１４５の前端同士が繋がっており、第２及び第３連結枠１４４，１４５の後端同士が繋がっており、第３及び第４連結枠１４５，１４６の前端同士が繋がっている。そして、本体枠１４２は、左右方向視において、左カバー枠３５の本体枠４２のうち第１連結枠４３以下の台形形状に整合しており、第１、第２及び第３連結枠１４３，１４４，１４５は、それぞれ左右方向に関して左カバー枠３５の第１、第２及び第３連結枠４３，４４，４５に整合している。
【００５０】
また、図９に示すように、補強用板金１０２の延出部１０７の所定箇所（例えば、第１〜第４連結枠１４３〜１４６の上辺略中央箇所）には、左カバー枠３５の４個のボス部１０５が位置する円弧状の板金側切欠部１３０がそれぞれ形成されている。また、延出部１０７の所定箇所（第１，第３連結枠１４３，１４５の後端箇所と、第２，第４連結枠１４４，１４６の前端箇所との箇所）には、左カバー枠３５及び飾り部１０１のピン部３５ｄが挿入されるピン支持部１２９がそれぞれ形成されている。なお、ピン支持部１２９は、例えば、延出部１０７の左側（飾り用樹脂板５０と対向する側）に円筒状の穴を形成するために、当該延出部１０７の右側（メッキ飾り板５４と対向する側）が略半球状に突出形成されている。
【００５１】
図９、図１３に示すように、基端部１０３は、例えば、右辺ユニット２２の上部から鍵機構１２までの長さを有する縦長の矩形板であり、正面レンズ３６と略同じ横幅としている。補強用板金１０２の下端は、配線収容部１０４の直上方にまで達している。図１５に示すように、ガラス扉５における右フレーム板金１５０（扉補強部材）のネジ孔１５１に挿入されたネジ１５２が、ガラス枠ベース１３の貫通孔１３ａと、補強用板金１０２の基端部１０３にその上下方向に形成された複数（本実施形態では５個）のネジ挿通孔１０８とを介して、右辺ユニット２２の右カバー枠３４のネジ穴３４ａに螺入されて、右辺ユニット２２がガラス扉５の本体（ガラス扉５から右辺ユニット２２等を取り除いた本体）にネジ止めされることにより、右辺ユニット２２の背面側がガラス扉５に固定される。
【００５２】
メッキ飾り板５４は、図９に示すように、多数の凹凸状の装飾意匠が形成された合成樹脂板であり、側面視（右側面視）で装飾パネル２３とほぼ同じ形状及び大きさとしている。また、メッキ飾り板５４の左側表面には、例えばメッキ加工が施されている。
【００５３】
また、メッキ飾り板５４は、その右側（上側及び下側ＬＥＤ基板５１，５２に対向する側）に大小の円形部５４ａが複数形成されている。大きい円形部５４ａは、その左側（飾り用樹脂板５０に対向する側）に同心円状の段差部が形成された底浅の椀状形状としており、当該円形部５４ａの中心箇所に、上側及び下側ＬＥＤ基板５１，５２のＬＥＤ５６の位置する円孔５４ｂが形成されている。この円孔５４ｂは、上側及び下側ＬＥＤ基板５１，５２のＬＥＤ５６よりも大きい開口形状としている。小さい円形部５４ａも、当該円形部５４ａの中心箇所に、上側及び下側ＬＥＤ基板５１，５２のＬＥＤ５６の位置する円孔５４ｂが形成されており、この円孔５４ｂも上側及び下側ＬＥＤ基板５１，５２のＬＥＤ５６よりも大きい開口形状としている。つまり、上側及び下側ＬＥＤ基板５１，５２のＬＥＤ５６からの光が円形部５４ａの円孔５４ｂを介して飾り用樹脂板５０に出射され、飾り用樹脂板５０の大小の同心円模様で拡散されたり、飾り用樹脂板５０で反射された光がメッキ飾り板５４で当該飾り用樹脂板５０に再反射されたりして、飾り用樹脂板５０の大小の同心円模様が発光表示される。
【００５４】
メッキ飾り板５４は、図９に示すように、左カバー枠３５のボス部１０５が挿入される、上下方向に形成された複数（本実施形態では５個）のボス孔部５４ｃと、補強用板金１０２のピン支持部１２９が位置する複数（本実施形態では５個）の受け部５４ｄと、拡散板５３と固定するためのネジが挿入される複数（本実施形態では８個）の貫通孔５４ｅとを備えている。
【００５５】
メッキ飾り板５４の右隣には、上側及び下側ＬＥＤ基板５１，５２が配置されている。メッキ飾り板５４における下部分を除く部分に対応して上側ＬＥＤ基板５１が配置され、メッキ飾り板５４における下部分に対応して下側ＬＥＤ基板５２が配置されている。上側ＬＥＤ基板５１は矩形状としており、下側ＬＥＤ基板５２は前方下部の角部が切り欠かれた略矩形状としている。
【００５６】
上側及び下側ＬＥＤ基板５１，５２は、図８に示すように、その両面に複数のＬＥＤ５５，５６が間隔を隔てて分散配置されている（ＬＥＤ５５，５６を単数配置としてもよい）。各ＬＥＤ基板５１，５２には、遊技機の演出制御を司る演出制御基板（図示省略）に接続され、発光制御されている。図９、図１２に示すように、上側及び下側ＬＥＤ基板５１，５２は、左カバー枠３５のボス部１０５に対応する箇所に、拡散板５３の挿入ボス部５３ａが挿入されるボス入力部１２２が形成されている。このボス入力部１２２は、上側
ＬＥＤ基板５１の２箇所及び下側ＬＥＤ基板５２の下側の１箇所については挿入孔であり、下側ＬＥＤ基板５２の上側の１箇所については切欠部としている。また、上側及び下側ＬＥＤ基板５１，５２は、図８に示すように、絶縁性を有する拡散板５３と、メッキ飾り板５４の右側表面（当該右側表面はメッキ加工されておらず、絶縁性を有する合成樹脂面である）との間に介装されているので、上側及び下側ＬＥＤ基板５１，５２の絶縁性を確保でき、補強用板金１０２に接触することがない。
【００５７】
拡散板５３は、図９に示すように、上側及び下側ＬＥＤ基板５１，５２の右隣に配設されている。拡散板５３は、例えばアクリル板によって構成されており、図９、図１１に示すように、側面視（右側面視）で、装飾パネル２３とほぼ同じ形状及び大きさを有している。また、拡散板５３は、図９に示すように、メッキ飾り板５４の８個の貫通孔５４ｅに対応する箇所に、当該貫通孔５４ｅに挿入されたネジが螺入されるネジ孔部（図示省略）が形成されている。
【００５８】
拡散板５３には、図８、図９に示すように、ボス部１０５の挿入孔１０６に対応する箇所に挿入ボス部５３ａが形成されている。この挿入ボス部５３ａは、その先端側に、左カバー枠３５のボス部１０５に挿入されたネジ８０が螺入されるネジ孔１２１が形成されている。また、図８に示すように、挿入ボス部５３ａは、その突出長さ方向の略中間位置に上側及び下側ＬＥＤ基板５１，５２を支持する支持部５３ｂを備えており、拡散板５３の左面から離間した状態で上側及び下側ＬＥＤ基板５１，５２を支持している。この支持部５３ｂは、挿入ボス部５３ａの基端側に放射状（十字状）に突出形成された支持リブ形状としているが、例えば挿入ボス部５３ａと同心軸で当該挿入ボス部５３ａよりも外形の大きい円形リブ等としてもよい。
【００５９】
また、正面レンズ３６は、図１３に示すように、右辺ユニット２２の前辺（すなわち、左カバー枠３５の前辺及び右カバー枠３４の前辺）に沿う略帯状形状としており、その下部が上部に比較して後方側に位置するような湾曲状に形成されている。具体的には、正面レンズ３６は、右辺ユニット２２の上部分２７（図３参照）に対応して設けられる第１レンズ部１１１と、右辺ユニット２２の中央部分２８  （図３参照）に対応して設けられる第２レンズ部１１２と、右辺ユニット２２の下部分２５（図３参照）に対応して設けられる第３レンズ部１１３とを備えている。第１レンズ部１１１は鉛直方向に延び、第３レンズ部１１３は第１レンズ部１１１と平行に鉛直方向に延びている。第２レンズ部１１２は、第１レンズ部１１１の下端部と、第３レンズ部１１３の上端部とをつなげており、下方に向かうに従って後ろになるように傾斜している。正面レンズ３６は、略同一形状の一対の帯状レンズ体を前後に重ね合わせることにより構成されている。
【００６０】
第１レンズ部１１１の後ろ隣には、第１ＬＥＤ基板１１４が配設されている。第１ＬＥＤ基板１１４は、第１レンズ部１１１の正面形状に整合する略矩形としている。第２レンズ部１１２の斜め後ろ隣には、第２ＬＥＤ基板１１５が配設されている。第２ＬＥＤ基板１１５は、第２レンズ部１１２の正面形状に整合する略矩形としている。第３レンズ部１１３の後ろ隣には、矩形の第３ＬＥＤ基板１１６が配設されている。第１〜第３ＬＥＤ基板１１４〜１１６の両面（第２ＬＥＤ基板１１５は、前斜め下の面）には、それぞれ一または複数のＬＥＤ５７（図８、図１４参照）が配置されている。第１〜第３ＬＥＤ基板１１４〜１１６には、遊技機１の演出制御を司る演出制御基板（図示省略）に接続され、この演出制御基板によってＬＥＤ基板１１４，１１５，１１６が発光制御されている。
【００６１】
ＬＥＤ基板１１４，１１５，１１６のＬＥＤ５７が発光すると、その光は正面レンズ３６によって拡散され、全てのレンズ部１１１，１１２，１１３、すなわち右辺ユニット２２の前端面が発光するようになっている。
【００６２】
なお、配線収容部１０４は、図１３に示すように、第３ＬＥＤ基板１１６の信号配線等を収容して上方に案内するための配線収容部である。配線収容部１０４は、第３レンズ部１１３の後方領域における第３ＬＥＤ基板１１６の上方に配置されている。拡散板５３は、その前端側に形成された配線用切欠部５３ｃ（図９参照）を通じて第１，第２ＬＥＤ基板１１４，１１５の信号配線等が入力されており、第１，第２ＬＥＤ基板１１４，１１５の信号配線等と、上側及び下側ＬＥＤ基板５１，５２の信号配線等とを、上側及び下側ＬＥＤ基板５１，５２の左側（メッキ飾り板５４に対向する側）でＬＥＤ５６に重ならないように当該拡散板５３内に収容している。そして、図１０に示すように、右辺ユニット２２の上部背面箇所に形成された配線口２２ａ（拡散板５３の上部奥側に形成された切欠部５３ｄと飾り用樹脂板５０とで形成される開口）からそれらの信号配線等がガラス扉５の背面側に引き出され、当該ガラス扉５の背面上辺側箇所に配設された上部カバー部材１５（図７参照）の内部を通ってガラス扉５のヒンジ手段４Ｂ側へと案内されている。
【００６３】
図１３に示すように、左カバー枠３５の右側に飾り用樹脂板５０を位置させ、且つ、この飾り用樹脂板５０の右側に補強用板金１０２を位置させた状態では、左カバー枠３５の上側４個のボス部１０５が、補強用板金１０２の板金側切欠部１３０に位置し、左カバー枠３５の最下側のボス部１０５が、補強用板金１０２の下方に位置しており、全てのボス部１０５が補強用板金１０２の延出部１０７の右側に突出した状態となっている。具体的には、ボス部１０５は、飾り用樹脂板５０のボス挿通孔１２４を通って補強用板金１０２の板金側切欠部１３０に位置しており、メッキ飾り板５４のボス孔部５４ｃに挿入された状態となっており、この状態のボス部１０５の挿入孔１０６に拡散板５３の挿入ボス部５３ａが挿入され、左カバー枠３５の左面側からボス部１０５の箇所に挿入されたネジ８０が拡散板５３の挿入ボス部５３ａに螺入されることで、左カバー枠３５と拡散板５３との間に飾り用樹脂板５０、補強用板金１０２、メッキ飾り板５４、上側及び下側ＬＥＤ基板５１，５２が位置する状態で左カバー枠３５と拡散板５３とが固定される。
【００６４】
ここで、右辺ユニット２２の組み付け手順について、図９を用いて説明する。まず、上辺ユニット２０の右端部に左カバー枠３５の上部左側を取り付ける。具体的には、上辺ユニット２０の右端部の各長状ボス部２０ａを左カバー枠３５の各貫通孔３５ａに挿入するとともに、上辺ユニット２０の右端の上側中央箇所における短状ボス部２０ｂを左カバー枠３５の上部ボス部３５ｂに挿入した状態とし、この上部ボス部３５ｂに対して当該左カバー枠３５の右側から挿入したネジをこの短状ボス部２０ｂに螺入することで、左カバー枠３５を上辺ユニット２０の右端部に固定する。このとき、左カバー枠３５の３個の挿入孔３５ｃは、上辺ユニット２０の対応する３個の短状ボス部２０ｂに合致している。
【００６５】
続いて、左カバー枠３５の右側に飾り用樹脂板５０を取り付ける。具体的には、左カバー枠３５のボス部１０５を飾り用樹脂板５０のボス挿通孔１２４に挿入した状態とし、飾り用樹脂板５０の３個の上部ボス部５０ａに挿入したそれぞれのネジを、上辺ユニット２０の対応する３個の短状ボス部２０ｂに螺入することで、飾り用樹脂板５０を左カバー枠３５の右側に固定する。
【００６６】
次に、補強用板金１０２よりも右側の構成を組み立てる。つまり、拡散板５３の左側に上側及び下側ＬＥＤ基板５１，５２を位置させた状態で、メッキ飾り板５４を拡散板５３の左側に取り付ける。
【００６７】
具体的には、図９に示すように、上側及び下側ＬＥＤ基板５１，５２のボス入力部１２２に拡散板５３の挿入ボス部５３ａを挿入することで、上側及び下側ＬＥＤ基板５１，５２を拡散板５３の左側に位置させる。このとき、図８に示すように、拡散板５３の左側に複数形成された基板支持ボス部５３ｅの先端に上側及び下側ＬＥＤ基板５１，５２が載置され、当該基板支持ボス部５３ｅに対応する箇所に形成された、上側及び下側ＬＥＤ基板５１，５２の貫通孔にネジを挿入して、このネジを基板支持ボス部５３ｅの先端のネジ穴に螺入することで、上側及び下側ＬＥＤ基板５１，５２を拡散板５３の左側にネジ止めする。このとき、基板支持ボス部５３ｅの先端と、挿入ボス部５３ａの途中箇所に形成された支持部５３ｂとによって、上側及び下側ＬＥＤ基板５１，５２が支持されており、上側及び下側ＬＥＤ基板５１，５２が拡散板５３から所定間隔（例えば１ｃｍ程度）離間した位置に支持される。また、第１〜第３ＬＥＤ基板１１４〜１１６を拡散板５３の前端側にネジ止めする。
【００６８】
そして、上側及び下側ＬＥＤ基板５１，５２をネジ止めした拡散板５３に対して、メッキ飾り板５４を合わせた状態とし、メッキ飾り板５４の８個の貫通孔５４ｅに挿入したそれぞれのネジを、拡散板５３における当該メッキ飾り板５４の貫通孔５４ｅに対応する箇所に形成された８個の飾り板支持ボス部（図示省略）の先端のネジ孔部に螺入することで、メッキ飾り板５４を拡散板５３の左側にネジ止めする。このように、上側及び下側ＬＥＤ基板５１，５２は、メッキ飾り板５４と拡散板５３との間に介装された状態となっている。図８に示すように、上側及び下側ＬＥＤ基板５１，５２は、メッキ飾り板５４の内壁面と拡散板５３の内壁面とから離間した位置に支持されている。
【００６９】
次に、前記の組み上げた拡散板５３を、補強用板金１０２を間に挟んだ状態で、前記の上辺ユニット２０と一体化済みの左カバー枠３５にネジ止めする。具体的には、左カバー枠３５の左面側からボス部１０５に挿入したネジ８０を、拡散板５３の挿入ボス部５３ａのネジ孔１２１に螺入することで、当該拡散板５３を左カバー枠３５に固定する。
【００７０】
そして、図８、図９に示すように、左カバー枠３５のボス部１０５におけるネジ挿入側の開口に閉塞キャップ１７を取り付け、当該開口が閉塞キャップ１７によって閉塞される。この閉塞キャップ１７はその挿入側に係止爪１７ａ（例えば一対の係止爪１７ａ）を備えており、ボス部１０５に形成された被係止部１０５ａ（例えば一対の切欠き部）に閉塞キャップ１７の係止爪１７ａが係止した状態となり、閉塞キャップ１７の装着後は当該閉塞キャップ１７が取り外せない又は取り外し難くなっている。
【００７１】
続いて、右カバー枠３４を左カバー枠３５にネジ止めする。具体的には、左カバー枠３５の前端側に上下方向に配設された３個の左枠用ボス部３５ｅに、右カバー枠３４の枠固定用ボス部３９ａを挿入し、左カバー枠３５の左面側から左枠用ボス部３５ｅに挿入したネジ８０を、右カバー枠３４の枠固定用ボス部３９ａの先端のネジ穴に螺入することで、当該右カバー枠３４を左カバー枠３５に固定する。そして、この左枠用ボス部３５ｅのネジ挿入側の開口に閉塞キャップ１７を取り付け、当該開口が閉塞キャップ１７によって閉塞される。
【００７２】
また、右カバー枠３４の上部前端側の貫通孔３４ｃにネジを挿入し、このネジを上辺ユニット２０における長状ボス部２０ａの先端のネジ穴に螺入することで、右カバー枠３４が上辺ユニット２０に固定される。
【００７３】
また、飾り部１０１を左カバー枠３５の左側に取り付けた状態とし、飾り部１０１の飾り部用ボス部１０１ａが右カバー枠３４の下部直線部４１に形成された貫通孔３４ｂに位置し、この貫通孔３４ｂに挿入したネジを飾り部１０１の飾り部用ボス部１０１ａの先端に形成されたネジ穴に螺入することで、飾り部１０１を右カバー枠３４に固定する。
【００７４】
続いて、このように組み上げた右辺ユニット２２を、図１５に示すように、ガラス枠ベース１３の前面右端箇所に取り付ける。なお、図１５では、右辺ユニット２２から離れた状態で補強用板金１０２を図示しているが、これは右カバー枠３４と補強用板金１０２と補強用板金１０２とガラス枠ベース１３と右フレーム板金１５０との取り付け関係を明確に説明するためであり、実際には前述したように補強用板金１０２が飾り用樹脂板５０とメッキ飾り板５４との間で挟持されて右辺ユニット２２に一体化された状態となっている。
【００７５】
具体的には、前記の組み上げた右辺ユニット２２をガラス枠ベース１３の前面右端箇所に位置させた状態とする。このとき、ガラス枠ベース１３の正面右辺箇所に前方に向けて突出形成された例えば３個の支持ピン１３ｂが、補強用板金１０２の３個のピン孔１０３ａを介して右カバー枠３４の背面箇所に形成された３個のピン挿入部３４ｄに挿入されており、右辺ユニット２２をガラス枠ベース１３に好適に位置合わせできる。そして、このガラス枠ベース１３の正面右辺箇所の背面側に右フレーム板金１５０を位置させた状態とし、この右フレーム板金１５０の貫通孔１３ａにネジを挿入して右カバー枠３４のネジ穴３４ａに螺入することで、右辺ユニット２２及び右フレーム板金１５０をガラス枠ベース１３に固定する。このようにして、右辺ユニット２２のガラス枠ベース１３への組み付けが完成する。
【００７６】
なお、ガラス枠ベース１３の正面下辺箇所の背面側に下フレーム板金１５５がネジ止めされる。右フレーム板金１５０及び下フレーム板金１５５の一部が重なって固定されている。また、ガラス枠ベース１３の正面左辺箇所の背面側に左フレーム板金１５７がネジ止めされる。左フレーム板金１５７及び下フレーム板金１５５の一部が重なって固定されている。右フレーム板金１５０、左フレーム板金１５７及び下フレーム板金１５５は、例えば金属製材料で形成されており、導電性を有する。装飾パネル部２４の補強用板金１０２の基端部１０３がガラス扉５の右フレーム板金１５０にネジ止め固定されているので、補強用板金１０２と右フレーム板金１５０とが電気的に接続されている。また、右フレーム板金１５０、左フレーム板金１５７及び下フレーム板金１５５がガラス枠ベース１３に重ね合わせてネジ止め固定されているので、これらが電気的に接続されている。また、左フレーム板金１５７はヒンジ手段４Ｂを通じて前枠３に電気的に接続され、前枠３は接地されている。
【００７７】
そして、前枠３に開閉可能に取り付けられたガラス扉５を開状態とし（図１６（ｂ）参照）、作業者が蓋部材３２の先端片６０を持って上方に起立させてこの蓋部材３２を鉛直姿勢にし（図１６（ｃ）参照）、右透明カバー３７及び装飾パネル２３を上部開口３１に挿入し（図１６（ｄ）参照）、ガラス扉５を開状態とする（図１６（ａ）参照）。図２に示すようにパネル収容部３０に装飾パネル２３が収容された状態では、周囲の遊技客は、右透明カバー３７を介して装飾パネル２３の表面（右面）を視認することができる。
【００７８】
パネル収容部３０に装飾パネル２３が収容された状態では、上側及び下側ＬＥＤ基板５１，５２のＬＥＤ５５から発せられた光は、拡散板５３を介して装飾パネル２３の裏面（左面）に与えられるようになっている。拡散板５３によって拡散された光が装飾パネル２３の裏面に与えられるので、装飾パネル２３の裏面に均一に光を供給することができる。これにより、装飾パネル２３の全域が明るく発光する。
【００７９】
以上説明したように、本実施形態の遊技機１では、前枠３と、この前枠３の前面側に当該前枠３に対して開閉可能に設けられたガラス扉５とを備え、このガラス扉５の前面側に突出形成されて装飾表示を行う装飾パネル部２４を備え、この装飾パネル部２４は、当該装飾パネル部２４のその突出方向を奥行き幅とする突出外面（右透明カバー３７）を通して視認可能に配置された装飾パネル２３と、装飾パネル部２４の突出方向に配設された補強用板金１０２と、を備えている。したがって、装飾パネル部２４は、その突出方向を奥行き幅とする突出外面（右透明カバー３７）を通して視認可能に装飾パネル２３を配置しているので、装飾パネル部２４の突出外面（右透明カバー３７）に対応した大きさの装飾パネル２３をガラス扉５に配設することができ、ガラス扉５に配設した大面積の装飾パネル部２４によって装飾表示効果を向上させることができる。さらに、装飾パネル部２４は、装飾パネル部２４の突出方向に補強用板金１０２を備えているので、遊技者による故意的な衝撃力が装飾パネル部２４に対してその突出外面（右透明カバー３７）に向く方向に与えられたとしても、装飾パネル部２４を撓み難くして補強することができ、前扉の装飾パネル部２４の損傷を低減できる。したがって、ガラス扉５に突出形成した装飾パネル部２４に配設した大面積の装飾パネル２３によって装飾表示効果を向上させることができるとともに、装飾パネル部２４の剛性を向上できる遊技機を提供することができる。
【００８０】
また、装飾パネル部２４は、その突出方向を奥行き幅とする両突出外面のうち一方の突出外面（右透明カバー３７）を通して装飾パネル２３が視認可能に配置される構成としているので、装飾パネル部２４の両突出外面のうち一方の突出外面（右透明カバー３７）を通して装飾パネル２３を見せることができ、他方の突出外面（左カバー枠３５側の飾り用樹脂板５０）を他の装飾表示に活用できる。
【００８１】
また、ガラス扉５の前面で側端部箇所に装飾パネル部２４を設け、装飾パネル部２４の両突出外面のうちガラス扉５の側辺に近い方の突出外面を通して装飾パネル２３が視認可能となっているので、外部から装飾パネル２３が見易くでき、隣の遊技者によって遊技が覗き見られることを低減でき、遊技の覗き見を気にしなくてよく、より遊技に集中できる。また、ガラス扉５の前面で側端部箇所以外の箇所に、遊技に関する構成（例えば遊技領域、図柄表示領域など）を設けることができ、ガラス扉５の前面を有効活用できる。
【００８２】
また、装飾パネル部２４の突出外面が平面形状であり、装飾パネル２３はそのパネル面が突出外面と平行又は略平行であるとしている。この場合には、装飾パネル２３と平行又は略平行な突出外面を介して当該装飾パネル２３を見るので、当該装飾パネル２３が見易い。また、装飾パネル２３と突出外面との間にデッドスペースが生じることを低減できる。なお、装飾パネル２３は、ガラス扉５の前方に向けて傾斜姿勢で配設されるようにしてもよい。
【００８３】
また、補強用板金１０２は、その基端部１０３が装飾パネル部２４の基端側に固定され、この基端部１０３から延出した延出部１０７が装飾パネル部２４の突出方向に設けられているので、装飾パネル部２４に対してその突出外面に向く方向に衝撃力が与えられたとしても、装飾パネル部２４自体（例えば装飾パネル部２４の先端側）が撓むことをより低減でき、装飾パネル部２４自体をより強固な構造とすることができる。
【００８４】
なお、延出部１０７は、前述したように突出外面を見た状態で前記例示した種々の形状としてもよい。また、補強用板金１０２は突出外面に向く方向で断面した状態でＬ字状であるとしてもよい。
【００８５】
また、ガラス扉５は、当該ガラス扉５面に沿って配設された右フレーム板金１５０を備え、装飾パネル部２４の補強用板金１０２の基端部１０３をガラス扉５の右フレーム板金１５０に固定しているので、装飾パネル部２４をガラス扉５に対して強固に固定でき、遊技者による故意的な衝撃力が装飾パネル部２４の突出外面方向に与えられたとしても、装飾パネル部２４を撓み難くして補強することができ、前扉の装飾パネル部２４の損傷を低減できる。
【００８６】
また、装飾パネル部２４の補強用板金１０２とガラス扉５の右フレーム板金１５０とは導電性部材であり、前記固定によって補強用板金１０２と右フレーム板金１５０とが電気的に接続され、右フレーム板金１５０は前枠３を介して接地されている。つまり、補強用板金１０２と右フレーム板金１５０とが電気的に接続され、右フレーム板金１５０が前枠３を介して接地（アース）されているので、ガラス扉５の装飾パネル部２４に配設された
電気部品（例えばＬＥＤ基板など）について、電気的な安全性を確保でき、その動作安定性の確保や電磁波の不要輻射の低減を図ることができる。
【００８７】
また、ガラス扉５は、その前面側上端箇所に前方に向けて突出形成された上辺ユニット２０を備え、装飾パネル部２４は、ガラス扉５の前面側右端箇所（左端箇所としてもよい）に当該端箇所に沿って設けられ、上辺ユニット２０の端部と装飾パネル部２４の端部とを連結しているので、さらに装飾パネル部２４を撓み難くして補強することができ、装飾パネル部２４の剛性を向上できる。
【００８８】
また、補強用板金１０２は、上辺ユニット２０の端部との連結箇所から離れた箇所に延出部１０７を備える。したがって、装飾パネル部２４の端部は上辺ユニット２０と連結されているので、この装飾パネル部２４の端部側が撓むことを低減でき、装飾パネル部２４の端部側に補強用板金１０２の延出部１０７を設ける必要がなく、その分だけ重量増加を抑えることができる。
【００８９】
なお、装飾パネル部２４は、ガラス扉５が開状態の場合に装飾パネル２３が着脱可能となり、ガラス扉５が閉状態の場合に装飾パネル２３が着脱不可能としている。つまり、ガラス扉５は、装飾パネル２３を挿抜するための上部開口３１（出入り口）と、当該上部開口３１を閉塞する蓋部材３２（閉塞部）とを備え、ガラス扉５の閉状態では、上部開口３１を閉塞した状態の蓋部材３２が開放不可に規制する前枠３の上辺部７０Ａ及び当該蓋部材３２の先端片６０（規制部）を備える構成を採用している。したがって、ガラス扉５を開状態にすると装飾パネル２３の着脱が可能となるので、ガラス扉５を開状態にできる正規作業者（例えば遊技店関係者や製造メーカー社員）が装飾パネル２３の着脱を正規に行うことができ、部外者（遊技者など）が勝手に装飾パネル２３を取り外したり交換したりすることを低減できる。また、新たな装飾パネル２３を装着することで、ガラス扉５全体を交換することなく新たな機種表示に対応させたり、外観印象を変更させたりすることができ、経済性・作業性に優れる。なお、ガラス扉５は、装飾パネル２３を挿抜するための上部開口３１（出入り口）を備え、ガラス扉５の閉状態では、装飾パネル２３が挿抜不可なように上部開口３１に位置する規制部（例えば閉状態としたガラス扉５の上部開口３１に位置する、前枠３側に形成された突起部）を備える構成としてもよい。
【００９０】
また、装飾パネル部２４は、その外形を構成する右カバー枠３４及び左カバー枠３５（外形本体部）を備え、補強用板金１０２は、耐熱性部材であり、右カバー枠３４及び左カバー枠３５の内部に配設されているので、装飾パネル部２４の外見からは、装飾パネル部２４が補強用板金１０２を備えているかどうかも分からないし、補強用板金１０２が装飾パネル部２４のどこに位置しているのかも分からないようにできる。このため、不正行為者がガラス扉５の装飾パネル部２４の一部を不正に溶かしたとしても補強用板金１０２が位置することで、不正な溶解孔を貫通させることができず、その溶解孔に不正具を挿入して遊技機内部に進入させるという不正行為を低減できる。
【００９１】
なお、本実施形態では補強用板金１０２は金属製部材とすることで耐熱性を有しているが、繊維強化プラスチック部材等として耐熱性を有するものとしてもよい。
【００９２】
以上、本発明の実施形態について詳述したが、本発明はこれらの実施形態に限定されるものではなく、本発明の趣旨を逸脱しない範囲で種々の変更が可能である。
【００９３】
前述した実施形態では、パチンコ機を例に挙げて説明しているが、スロットマシン、アレンジボール機等の各種の遊技機に採用してもよい。
【００９４】
前述した実施形態では、前面扉としてガラス扉５を例に挙げて説明しているが、前面扉として開閉扉６を採用してもよい。また、前面扉としてガラス扉５及び開閉扉６を一体化した扉を採用してもよい。
【００９５】
また、装飾パネル２３の表面の表示は、遊技機１の機種に関連するものでなくてもよい。例えば、遊技機１が設置されている遊技店の宣伝広告や遊技店からのメッセージ、デザイン等を採用してもよいし、遊技方法を説明する表示等としてもよい。
【００９６】
また、前述した実施形態では、装飾パネル部２４は、図８、図９に示すように、その左側面にのみ装飾パネル２３（第１装飾表示パネル）を設けた構成としているが、さらに右側面にも前記と同じ表示又は異なる表示とする別体の装飾パネル（第２装飾表示パネル）を備え、装飾パネル２３が右辺ユニット２２の右側面（右透明カバー３７）を通して視認可能で、前記別体の装飾パネルが右辺ユニット２２の左側面（例えば左透明カバー）を通して視認可能としてもよい。この場合には、右辺ユニット２２の両側の装飾パネル２３、別邸の装飾パネル（第１，第２装飾表示パネル）でそれぞれ装飾表示を行うことができ、装飾領域を右辺ユニット２２の両側に拡張でき、両者の表示内容を異ならせることができ、右辺ユニット２２を見る方向（左側面視と右側面視）によって違う印象を与えるようにでき、装飾表示のバリエーションを増やすことができる。
【００９７】
前述した実施形態では、補強用板金１０２は、例えば、ワーレントラス形状を採用しているが、その他のトラス形状（プラットトラス、ハウトラスなどの各種トラス形状）としてもよい。また、右辺ユニット２２に配設された状態でその突出外面から見た場合において、板形状（矩形状、台形状、菱形、平行四辺形、多角形状、半円状、蒲鉾状などの板形状）、枠形状（矩形枠状、台形枠状、菱形枠状、多角形枠状、半円枠状、蒲鉾枠状など）、格子状（網の目状）、井の字状若しくはアルファベット字状（例えばＢ字、Ｅ字、Ｆ字、Ｈ字、Ｌ字、Ｐ字、Ｔ字、Ｘ字、Ｙ字、Ｚ字、それらの逆字など）又はこれらを組み合わせた形状などとしてもよい。
【００９８】
また、前述した実施形態では、装飾パネル部２４の内部、つまり、右カバー枠３４と左カバー枠３５とで形成される内部空間に補強用板金１０２を配設しているが、右カバー枠３４と左カバー枠３５との少なくとも一方を金属製部材または繊維強化プラスチック部材としそれ自体を補強部材としてもよいし、内部に補強用板金１０２を配設していてもよい。
【００９９】
また、前述した実施形態では、図１５に示すように、補強用板金１０２と右フレーム板金１５０とを採用しているが、この補強用板金１０２の下端をガラス扉５の下端まで延出した形状とし、右フレーム板金１５０を採用しない構成としてもよい。また、右フレーム板金１５０の前面側に補強用板金１０２の延出部１０７を形成し、この右フレーム板金１５０をガラス枠ベース１３の正面右辺側箇所に固定  （下フレーム板金１５５と電気的に接続された状態での固定が好ましい）し、補強用板金１０２を採用しない構成としてもよい。
【０１００】
また、前述した実施形態では、装飾パネル２３を採用しているが、装飾パネル２３に替えて、電子ペーパー、液晶表示装置、有機ＥＬ表示装置などの薄型表示装置を採用してもよい。例えば電子ペーパーは、表示画面内容を変更させる時にだけ電力を消費するため消費電力も小さく、電源を切っても表示を維持でき、軽いなどの特徴がある。このように、電子ペーパーの表示画像を書き換えることで新たな装飾表示・情報表示を行うことができ、機種変更後も電子ペーパーを継続使用することができ、さらに部品点数を低減できる。また、液晶表示装置、有機ＥＬ表示装置などを採用して遊技内容に応じて表示内容をリアルタイムに変更するようにしてもよい。
【０１０１】
また、前述した実施形態では、上側ＬＥＤ基板５１と下側ＬＥＤ基板５２とを採用しているが、単一のＬＥＤ基板を採用してもよい。また、右カバー枠３４は連結枠４０を備えているが、連結枠４０を備えないようにし、中央が開口した外形枠状としてもよい。また、左カバー枠３５は第１〜第３連結枠４３〜４５を備えているが、第１〜第３連結枠４３〜４５を備えないようにし、中央が開口した外形枠状としてもよい。また、飾り用樹脂板５０及びメッキ飾り板５４はその表面形状として大小の円形部５４ａが複数形成されものを採用しているが、これに限られず種々の模様、形状を採用してもよい。
【０１０２】
また、上述した複数の実施形態のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【０１０３】
３    前枠（本体枠）
５    ガラス扉（前面扉）
２０    上辺ユニット（上端側突出部）
２３    装飾パネル（装飾表示パネル）
２４    装飾パネル部（突出装飾部）
３１    上部開口（出入り口）
３２    蓋部材（閉塞部）
３４    右カバー枠（外形本体部）
３５    左カバー枠（外形本体部）
６０    先端片（規制部）
７０Ａ  上辺部（規制部）
１０２    補強用板金（補強部材）
１０３    基端部
１０７    延出部
１５０    右フレーム板金（扉補強部材）
【図１】
2015192899.tif 000003
【図２】
2015192899.tif 000004
【図３】
2015192899.tif 000005
【図４】
2015192899.tif 000006
【図５】
2015192899.tif 000007
【図６】
2015192899.tif 000008
【図７】
2015192899.tif 000009
【図８】
2015192899.tif 000010
【図９】
2015192899.tif 000011
【図１０】
2015192899.tif 000012
【図１１】
2015192899.tif 000013
【図１２】
2015192899.tif 000014
【図１３】
2015192899.tif 000015
【図１４】
2015192899.tif 000016
【図１５】
2015192899.tif 000017
【図１６】
2015192899.tif 000018
【図１７】
2015192899.tif 000019
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
本体枠と、
前記本体枠側の遊技盤の遊技領域を視認可能な視認窓を有し且つ前記本体枠に左右一端側のヒンジ手段を介して開閉可能に設けられた前面扉と、
前記視認窓の上側で前記前面扉から前側に突出する上側突出部と、
前記視認窓に対して前記ヒンジ手段と反対側で前記前面扉から前側に突出する突出装飾部と、を備え、
前記上側突出部の前記ヒンジ手段側の端部の前側への突出量は、前記前面扉を前記ヒンジ手段廻りに開放したときに前記ヒンジ手段側の隣接部材と干渉しないように、前記上側突出部の他の部分の突出量よりも小である
ことを特徴とする遊技機。
【手続補正２】
【補正対象書類名】明細書
【補正対象項目名】０００５
【補正方法】変更
【補正の内容】
【０００５】
本発明は、上記事情に鑑みてなされたものであり、前面扉の装飾表示部の面積を広くできる遊技機を提供することを目的とする。
【手続補正３】
【補正対象書類名】明細書
【補正対象項目名】０００６
【補正方法】変更
【補正の内容】
【０００６】
本発明は、本体枠と、前記本体枠側の遊技盤の遊技領域を視認可能な視認窓を有し且つ前記本体枠に左右一端側のヒンジ手段を介して開閉可能に設けられた前面扉と、前記視認窓の上側で前記前面扉から前側に突出する上側突出部と、前記視認窓に対して前記ヒンジ手段と反対側で前記前面扉から前側に突出する突出装飾部と、を備え、前記上側突出部の前記ヒンジ手段側の端部の前側への突出量は、前記前面扉を前記ヒンジ手段廻りに開放したときに前記ヒンジ手段側の隣接部材と干渉しないように、前記上側突出部の他の部分の突出量よりも小さくしたものである。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明によれば、前面扉の装飾表示部の面積を広くできる利点がある。